(57)【要約】【課題】パッシブ光ネットワークにおいて、加入者側終端装置に適切なリソースを割り当てる局側終端装置を提供する。【解決手段】局側終端装置は、１つ以上の加入者側終端装置から要求信号を受信すると、当該要求信号に含まれる固定帯域を要求するか否かの情報に応じて、当該要求信号を送信した加入者側終端装置に波長の割り当てを行う割当手段と、前記割当手段が割り当てた波長を、要求信号を送信した加入者側終端装置に通知する通知手段と、を備えている。【選択図】図４
2015186030.tif 000002
【特許請求の範囲】
【請求項１】
パッシブ光ネットワークの局側終端装置であって、
１つ以上の加入者側終端装置から要求信号を受信すると、当該要求信号に含まれる固定帯域を要求するか否かの情報に応じて、当該要求信号を送信した加入者側終端装置に波長の割り当てを行う割当手段と、
前記割当手段が割り当てた波長を、要求信号を送信した加入者側終端装置に通知する通知手段と、
を備えていることを特徴とする局側終端装置。
【請求項２】
前記割当手段は、固定帯域を要求する加入者側終端装置を第１加入者側終端装置と分類し、固定帯域を要求しない加入者側終端装置を第２加入者側終端装置と分類し、前記第１加入者側終端装置と前記第２加入者側終端装置には異なる基準に従い波長を割り当てることを特徴とする請求項１に記載の局側終端装置。
【請求項３】
前記割当手段は、波長の全帯域から当該波長を既に割り当てた前記第１加入者側終端装置それぞれの要求帯域を減じた値である空き帯域に対応する第１の値と、当該波長を割り当てた前記第２加入者側終端装置の数に対応する第２の値に基づき、前記第２加入者側終端装置に波長を割り当てることを特徴とする請求項２に記載の局側終端装置。
【請求項４】
前記割当手段は、前記第１の値と前記第２の値の比により、前記第２加入者側終端装置に波長を割り当てることを特徴とする請求項３に記載の局側終端装置。
【請求項５】
前記割当手段は、前記第１の値を前記第２の値で除した値が最大である波長を前記第２加入者側終端装置に割り当てることを特徴とする請求項３又は４に記載の局側終端装置。
【請求項６】
前記割当手段は、波長の割当順序を示す情報を保持しており、前記第１加入者側終端装置には、要求帯域を割り当て可能な最も割当順序の高い波長を割り当てることを特徴とする請求項３から５のいずれか１項に記載の局側終端装置。
【請求項７】
前記割当手段は、前記第１加入者側終端装置には、要求帯域を割り当て可能な最も空き帯域が大きい波長を割り当てることを特徴とする請求項３から５のいずれか１項に記載の局側終端装置。
【請求項８】
前記割当手段は、前記第１加入者側終端装置に第１波長を割り当てると、前記第１波長が割り当てられている前記第２加入者側終端装置の割当波長を変更するか否かを決定することを特徴とする請求項３から７のいずれか１項に記載の局側終端装置。
【請求項９】
前記割当手段は、前記第１波長に関する前記第１の値と前記第２の値の比と、前記第１波長以外の波長に関する前記第１の値と前記第２の値の比とを比較することで、前記第１波長が割り当てられている前記第２加入者側終端装置の割当波長を変更するか否かを決定することを特徴とする請求項８に記載の局側終端装置。
【請求項１０】
前記割当手段は、前記第１波長に関する前記第２の値から１だけ減じた値と前記第１の値の比と、前記第１波長以外の波長に関する前記第２の値に１を加えた値と前記第１の値の比と、を比較することで、前記第１波長が割り当てられている前記第２加入者側終端装置の割当波長を変更するか否かを決定することを特徴とする請求項８に記載の局側終端装置。
【請求項１１】
パッシブ光ネットワークの加入者側終端装置であって、
固定帯域を要求するか否かを示す情報を含む要求信号を局側終端装置に送信する要求手段を有することを特徴とする加入者側終端装置。
【請求項１２】
前記要求手段は、前記要求信号を前記局側終端装置との接続開始時に送信することを特徴とする請求項１１に記載の加入者側終端装置。
【請求項１３】
前記要求信号は、前記局側終端装置に前記加入者側終端装置の登録を要求する信号であることを特徴とする請求項１１又は１２に記載の加入者側終端装置。
【請求項１４】
パッシブ光ネットワークにおけるリソース割り当て方法であって、
局側終端装置が、１つ以上の加入者側終端装置から要求信号を受信するステップと、
前記局側終端装置が、要求信号に含まれる固定帯域を要求するか否かの情報に応じて、当該要求信号を送信した加入者側終端装置に波長の割り当てを行うステップと、
前記局側終端装置が、前記割り当てた波長を、要求信号を送信した加入者側終端装置に通知するステップと、
を含むことを特徴とするリソース割り当て方法。
【発明の詳細な説明】
【技術分野】
【０００１】
本開示は、パッシブ光ネットワーク（ＰＯＮ：Ｐａｓｓｉｖｅ  Ｏｐｔｉｃａｌ  Ｎｅｔｗｏｒｋ）におけるリソース割り当て技術に関する。
【背景技術】
【０００２】
光アクセスシステムとして、ＰＯＮが利用されている。ＰＯＮにおいては、１つの局側終端装置（ＯＬＴ：Ｏｐｔｉｃａｌ  Ｌｉｎｅ  Ｔｅｒｍｉｎａｌ）が、光カップラを介して１つ以上の加入者側終端装置（ＯＮＵ：Ｏｐｔｉｃａｌ  Ｎｅｔｗｏｒｋ  Ｕｎｉｔ）と通信する。このとき、ＯＬＴは、上り方向、つまり、ＯＮＵからＯＬＴ方向への通信において各ＯＮＵが送信する光信号が衝突しない様に、各ＯＮＵに、各ＯＮＵの送信タイミング及び期間、つまり、リソースを割り当てる。
【０００３】
この上り方向のリソースの割り当ては、割当周期を単位として行われる。具体的には、各ＯＮＵは、送信データが有る場合、ＯＬＴに送信データ量を示す情報を含む要求信号を送信する。ＯＬＴは、所定期間に受信した要求信号に基づき、次の割当周期において、要求信号を送信したＯＮＵに割り当てるリソースを、要求信号に含まれる送信データ量に基づき決定する。そして、割り当てた帯域を割当信号で各ＯＮＵに通知する。
【０００４】
また、特許文献１は、ＰＯＮに波長多重（ＷＤＭ）を適用した構成（ＴＷＤＭ-ＰＯＮ）における波長割当方法を開示している。
【先行技術文献】
【特許文献】
【０００５】
【特許文献１】特開２０１３−２０７７１６号公報
【発明の概要】
【発明が解決しようとする課題】
【０００６】
従来、ＰＯＮは、例えば、インターネット等のアクセス回線として用いられ、その端末に対するサービスは、所謂、ベストエフォートが中心であった。しかしながら、近年、ＰＯＮを移動通信システムにおける基地局とコア網の接続に使用することが検討されている。この様な場合、ＰＯＮには、ベストエフォートでサービスを受けるＯＮＵと、低遅延且つ固定帯域でサービスを受けるＯＮＵが混在することになる。特許文献１に記載の構成は、ベストエフォートでサービスを受けるＯＮＵと、低遅延且つ固定帯域でサービスを受けるＯＮＵが混在した場合を想定しておらず、その様な環境下において適切なリソースの割り当てを行うことができない。
【０００７】
本発明は、パッシブ光ネットワークにおいて、加入者側終端装置に適切なリソースを割り当てる局側終端装置と、当該局側終端装置と対向する加入者側終端装置と、リソース割り当て方法を提供するものである。
【課題を解決するための手段】
【０００８】
本発明の一側面によると、パッシブ光ネットワークの局側終端装置であって、１つ以上の加入者側終端装置から要求信号を受信すると、当該要求信号に含まれる固定帯域を要求するか否かの情報に応じて、当該要求信号を送信した加入者側終端装置に波長の割り当てを行う割当手段と、前記割当手段が割り当てた波長を、要求信号を送信した加入者側終端装置に通知する通知手段と、を備えていることを特徴とする。
【０００９】
本発明の一側面によると、パッシブ光ネットワークの加入者側終端装置であって、固定帯域を要求するか否かを示す情報を含む要求信号を局側終端装置に送信する要求手段を有することを特徴とする。
【００１０】
本発明の一側面によると、パッシブ光ネットワークにおけるリソース割り当て方法であって、局側終端装置が、１つ以上の加入者側終端装置から要求信号を受信するステップと、前記局側終端装置が、要求信号に含まれる固定帯域を要求するか否かの情報に応じて、当該要求信号を送信した加入者側終端装置に波長の割り当てを行うステップと、前記局側終端装置が、前記割り当てた波長を、要求信号を送信した加入者側終端装置に通知するステップと、を含むことを特徴とする。
【発明の効果】
【００１１】
加入者側終端装置に適切なリソースを割り当てることができる。
【図面の簡単な説明】
【００１２】
【図１】一実施形態によるＰＯＮの構成図。
【図２】一実施形態による固定帯域を要求するＯＮＵの登録処理のシーケンス図。
【図３】一実施形態によるベストエフォートを要求するＯＮＵの登録処理のシーケンス図。
【図４】一実施形態による登録処理のフローチャート。
【図５】一実施形態による波長変更処理のフローチャート。
【図６】一実施形態によるリソース割り当ての説明図。
【図７】一実施形態による登録処理のフローチャート。
【図８】一実施形態によるリソース割り当ての説明図。
【図９】一実施形態による局側終端装置の概略的な構成図。
【発明を実施するための形態】
【００１３】
以下、本発明の例示的な実施形態について図面を参照して説明する。なお、以下の各図においては実施形態の説明に必要ではない構成要素については図から省略する。また、以下の実施形態は例示であり本発明の範囲を実施形態の内容に限定するものではない。なお、以下の説明は、上り方向、つまり、ＯＮＵからＯＬＴ方向の伝送のためのリソース割り当てについてのものである。
【００１４】
＜第一実施形態＞
図１は、一実施形態によるＰＯＮの構成図である。図１では、局側終端装置（ＯＬＴ）１は、スプリッタ２を介して複数の加入者側終端装置（ＯＮＵ）３１、３２、３３と接続している。本実施形態では、固定的な帯域の割り当てを要求するＯＮＵ（以後、固定帯域ＯＮＵと呼ぶ。）と、固定的な帯域の割り当てを必要とせず、ベストエフォートでのサービスを要求するＯＮＵ（以後、ベストエフォートＯＮＵと呼ぶ。）が混在可能である。例えば、図１のＯＮＵ３１は固定帯域ＯＮＵであり、ＯＮＵ３３はベストエフォートＯＮＵである。
【００１５】
まず、図２を用いて固定帯域ＯＮＵ３１の登録処理について説明する。ＯＬＴ１は、所定のタイミングにおいて、送信タイミング通知信号を各ＯＮＵに向けてブロードキャストする。なお、送信タイミング通知信号とは、例えば、ディスカバリ・ゲート（Ｄｉｓｃｏｖｅｒｙ  Ｇａｔｅ）信号であり、基準となるタイミングを新たにＰＯＮに接続したＯＮＵに対して通知する信号である。新たに接続した固定帯域ＯＮＵ３１は、送信タイミング通知信号を受信後、低遅延かつ固定的な帯域の割り当てを要求するものであることを示す情報を含む登録要求信号をＯＬＴ１に送信する。登録要求信号とは、ＯＮＵがＯＬＴ１に自装置を登録するよう要求する信号であり、登録要求信号には、要求帯域を示す情報が含まれている。なお、例えば、要求帯域を示す情報が含まれていることを、登録要求信号が固定的な帯域の割り当てを要求していることの、ＯＬＴ１に対する表示とすることができる。しかしながら、登録要求信号に、低遅延かつ固定的な帯域の割り当てを要求するものであることを示す情報を、要求帯域を示す情報とは別に明示的に含めることもできる。なお、登録要求信号は、所定の波長にて送信される。ＯＬＴ１は、登録要求信号を受信すると、固定帯域ＯＮＵ３１に要求帯域を割り当て可能であるかを判定し、割り当て可能であると、登録信号により使用する波長を固定帯域ＯＮＵ３１に通知し、送信タイミング及び送信期間を割当信号で通知する。ここで、割当信号は、例えば、ゲート（Ｇａｔｅ）信号である。なお、使用する波長と、送信タイミング及び送信期間を登録信号により通知しても良い。固定帯域ＯＮＵ３１は、割当信号を受信すると応答信号をＯＬＴ１に送信する。
【００１６】
以後、固定帯域ＯＮＵ３１は、ＯＬＴ１に対して個々の帯域要求を行うことなく、割り当てられた波長を使用し、割り当てられた送信タイミングから通知された送信期間の間、ＯＬＴ１に対してデータを送信することができる。以後、ＯＮＵがデータ伝送に使用する波長、送信タイミング、送信期間のいずれか、又は、それらの組み合わせを総称してリソースと呼ぶ。本実施形態において、固定帯域ＯＮＵ３１は、割り当てられたリソースを使用する限りにおいては、ＯＬＴ１から個別にリソースの割り当てを受ける必要はない。しかしながら、追加のデータを伝送する必要がある場合等には、ＯＬＴ１に対してリソースの要求信号を送信して、一時的に、追加のリソースの割り当てを受けることもできる。なお、図２には示していないが、固定帯域ＯＮＵ３１に要求帯域を割り当て可能でなければ、ＯＬＴ１は、ＯＮＵ３１に対して拒絶通知信号を送信する。
【００１７】
続いて、図３を用いてベストエフォートＯＮＵ３３の登録処理について説明する。新たに接続したベストエフォートＯＮＵ３３は、送信タイミング通知信号を受信後、ベストエフォートでのサービスを要求するものであることを示す情報を含む登録要求信号をＯＬＴ１に送信する。例えば、要求帯域を示す情報がないことや、要求帯域が０であることを示す情報をベストエフォートでのサービスを要求する情報とすることができる。ＯＬＴ１は、登録要求信号を受信すると、ベストエフォートＯＮＵ３３が使用する波長を決定し、決定した波長を登録信号によりＯＮＵ３３に通知し、その後、割当信号をベストエフォートＯＮＵ３３に送信する。ベストエフォートＯＮＵ３３は、割当信号を受信すると応答信号をＯＬＴ１に送信する。
【００１８】
以後、ベストエフォートＯＮＵ３３は、送信すべきデータが発生すると、ＯＬＴ１に対してリソースの要求信号を送信し、要求信号の応答としてＯＬＴ１がベストエフォートＯＮＵ３３に割り当てたリソースを使用してデータを送信する。
【００１９】
図４は、本実施形態においてＯＬＴ１が実行するＯＮＵの登録処理のフローチャートである。なお、図４の登録処理は、固定帯域ＯＮＵと、ベストエフォートＯＮＵに対するリソース割当処理でもある。なお、説明を簡略化するため、図２及び図３に示す信号の内、説明に必要ではない信号の送信については、図４のフローチャートから省略している。また、以下のフローチャートにおいてＮは、ＰＯＮにおいて使用する波長数であり、ｉ（１≦ｉ≦Ｎ）は、波長を示すインデックスである。なお、本実施形態において、固定帯域ＯＮＵに割り当てる波長には割当順序が存在し、ｉの値が小さい程、割当順序が高いものとする。
【００２０】
処理の開始により、ＯＬＴ１は、Ｓ１０で値Ｃｉを０に、値Ｂｉを値Ｂｏに初期化する。ここで、値Ｃｉは、波長λｉが割り当てられているベストエフォートＯＮＵの数を示し、値Ｂｉは、波長λｉでの全伝送帯域（伝送速度）から、固定帯域ＯＮＵに既に割り当てた帯域を減じた空き帯域（以後、単に空き帯域と呼ぶ。）であり、値Ｂｏは、波長λｉでの全伝送帯域である。その後、ＯＬＴ１は、Ｓ１１で、ＯＮＵから登録要求信号を受信するまで待機する。ＯＴＬ１は、Ｓ１１で、ＯＮＵから登録要求信号を受信すると、Ｓ１２で、ＯＮＵがベストエフォートＯＮＵであるか固定帯域ＯＮＵであるかを判定する。なお、ベストエフォートＯＮＵであるか固定帯域ＯＮＵは、例えば、登録要求信号により固定的な帯域を要求しているか否かにより判定できる。しかしながら、登録要求信号に含まれる他の情報から判定する形態であっても良い。
【００２１】
ＯＮＵが固定帯域ＯＮＵであると、ＯＬＴ１は、Ｓ１３で、固定帯域ＯＮＵの要求帯域Ｂ以上の空き帯域Ｂｉを有する波長λｉが存在するかを判定する。存在しなければ、固定帯域の割り当てが不可能であるため、ＯＬＴ１は、Ｓ１７で、固定帯域ＯＮＵに対して拒絶通知信号を送信する。一方、要求帯域Ｂ以上の空き帯域Ｂｉを有する波長λｉが存在すると、ＯＬＴ１は、Ｓ１４で、インデックスｉが最小の波長を選択する。つまり、割当順序の最も高い波長を選択する。そして、ＯＬＴ１は、選択した波長λｉでの送信タイミング及び送信期間と共に、波長λｉを割り当てたことを、Ｓ１５で固定帯域ＯＮＵに通知する。また、ＯＬＴ１は、Ｓ１５で、空き帯域Ｂｉを、固定帯域ＯＮＵに割り当てた帯域Ｂだけ減ずる様に更新する。その後、ＯＬＴ１は、Ｓ１６において波長変更処理を行った後、Ｓ１１からの処理を繰り返す。なお、波長変更処理の詳細については後述する。
【００２２】
一方、Ｓ１２において、ＯＮＵがベストエフォートＯＮＵであると、ＯＬＴ１は、Ｓ１８で、各波長λｉについて、値（Ｂｉ／Ｃｉ）を計算し、値（Ｂｉ／Ｃｉ）を最大とするｉを選択する。なお、値（Ｂｉ／Ｃｉ）を最大とするｉが複数ある場合は、その中から任意の１つを選択する。また、値（Ｂｉ／Ｃｉ）の計算においては、Ｂｉの値が０であれば、Ｃｉの値に拘らず、値（Ｂｉ／Ｃｉ）は０であるものとする。さらに、Ｂｉの値が０ではない場合において、Ｃｉの値が０であると、値（Ｂｉ／Ｃｉ）は無限大であるものとする。ＯＬＴ１は、Ｓ１９において、Ｓ１８で選択したｉに対応する波長λｉをベストエフォートＯＮＵに割り当てると決定し、Ｓ１９で、波長λｉを割り当てたことをベストエフォートＯＮＵに通知する。また、ＯＬＴ１は、数Ｃｉを１だけ増加させる様に更新する。
【００２３】
図４のフローチャートによる割り当ての遷移を、図６を用いて説明する。なお、以下の説明において、Ｎ＝４であり、各波長の全帯域は、いずれも１０Ｇｂｐｓとする。また、固定帯域ＯＮＵの要求帯域をいずれも２．５Ｇｂｐｓとする。なお、図６において、ＬＬは固定帯域ＯＮＵを示し、ＢＥはベストエフォートＯＮＵを示している。なお、各波長の下には、数Ｃｉと空き帯域Ｂｉを示している。
【００２４】
図６（Ａ）は、説明に使用する初期状態であり、波長λ１は、４つの固定帯域ＯＮＵに割り当てられており、数Ｃ１は０であり、空き帯域Ｂ１は０である。また、波長λ２は、２つの固定帯域ＯＮＵに割り当てられており、数Ｃ２は０であり、空き帯域Ｂ２は５Ｇｂｐｓである。さらに、波長λ３は、１つのベストエフォートＯＮＵに割り当てられており、数Ｃ３は１であり、空き帯域Ｂ３は１０Ｇｂｐｓである。さらに、波長λ４は、１つのベストエフォートＯＮＵに割り当てられており、数Ｃ４は１であり、空き帯域Ｂ４は１０Ｇｂｐｓである。
【００２５】
図６（Ａ）の状態において、２つの固定帯域ＯＮＵからの登録要求信号を受信したものとする。本実施形態では、波長λ１の割当順序が最も高いが、波長λ１の空き帯域は０である。一方、２番目に割当順序が高い波長λ２の空き帯域は５Ｇｂｐｓであり、２つの固定帯域ＯＮＵを収容可能である。よって、ＯＬＴ１は、２つの固定帯域ＯＮＵに波長λ２を割り当て、図６（Ｂ）に示す状態となる。なお、空き帯域Ｂ２は０に更新される。その後、図６（Ｂ）の状態において、１つの固定帯域ＯＮＵからの登録要求信号を受信したものとする。図６（Ｂ）の状態において、波長λ１及び波長λ２の空き帯域は共に０であり、その次に割当順序の高い波長λ３の空き帯域は１０Ｇｂｐｓである。よって、ＯＬＴ１は、固定帯域ＯＮＵに波長λ３を割り当て、図６（Ｃ）に示す状態となる。なお、空き帯域Ｂ３は７．５Ｇｂｐｓに更新される。
【００２６】
一方、図６（Ａ）の状態において、１つのベストエフォートＯＮＵからの登録要求信号を受信したものとする。値（Ｂ１／Ｃ１）は０であり、値（Ｂ２／Ｃ２）は無限大であり、値（Ｂ３／Ｃ３）及び値（Ｂ４／Ｃ４）は共に１０であるため、値（Ｂ２／Ｃ２）が最も大きい。よって、ＯＬＴ１は、このベストエフォートＯＮＵに波長λ２を割り当て、図６（Ｄ）に示す状態となる。なお、数Ｃ２は１に更新される。その後、図６（Ｄ）の状態において、２つのベストエフォートＯＮＵからの登録要求信号を受信したものとする。値（Ｂ１／Ｃ１）は０であり、値（Ｂ２／Ｃ２）は５であり、値（Ｂ３／Ｃ３）及び値（Ｂ４／Ｃ４）は共に１０であるため、ＯＬＴ１は、１つのベストエフォートＯＮＵに波長λ３を割り当てる。よって、値（Ｂ３／Ｃ３）は、５となる。したがって、もう１つのベストエフォートＯＮＵに波長λ４を割り当てる。よって図６（Ｅ）に示す状態となる。その後、図６（Ｅ）の状態において、１つの固定帯域ＯＮＵからの登録要求信号を受信したものとする。この場合、２．５Ｇｂｐｓ以上の空き帯域がある波長のうち、最も割当順序の高い波長λ２をＯＬＴ１は割り当て、図６（Ｆ）に示す状態となる。
【００２７】
以上、本実施形態においては、固定帯域ＯＮＵができるだけ同じ波長を使用する様に割り当てを行う。なお、ベストエフォートＯＮＵの割当波長を値（Ｂｉ／Ｃｉ）により決定するのは、ベストエフォートＯＮＵが使用できる帯域を大きくするためである。具体的には、値（Ｂｉ／Ｃｉ）は、当該波長において、１つのベストエフォートＯＮＵが使用できる平均帯域を示している。よって、この平均帯域が最も大きい波長を、あらたなベストエフォートＯＮＵに割り当てることで、ベストエフォートＯＮＵが利用できる平均帯域が、波長ごとに大きく変動することを防いでいる。
【００２８】
続いて、図４のフローチャートのＳ１６における波長変更処理について図５を用いて説明する。上述した様に、本実施形態においては、１つのベストエフォートＯＮＵが使用できる平均帯域が偏らない様に、ベストエフォートＯＮＵへの波長割り当てを行っている。しかしながら、固定帯域ＯＮＵに波長を割り当てると、当該波長の空き帯域が減少し、よって、当該波長が割り当てられているベストエフォートＯＮＵの平均的な利用可能帯域が減少する。したがって、本実施形態においては、固定帯域ＯＮＵに波長を割り当てた後に、図５に示す波長変更処理を行い、当該波長が割り当てられているベストエフォートＯＮＵには、条件によっては別の波長を割り当てる。これにより、固定帯域ＯＮＵへの波長の割り当てにより、ベストエフォートＯＮＵが使用できる平均帯域が偏らない様にする。
【００２９】
まず、図５のＳ３０において、ＯＬＴ１は、図４のＳ１５において、固定帯域ＯＮＵに割り当てた波長λｉについて、値（Ｂｉ／（Ｃｉ−１））を計算する。値（Ｂｉ／（Ｃｉ−１））は、波長λｉが割り当てられているベストエフォートＯＮＵを現在の状態から１つだけ減らした場合に、当該波長においてベストエフォートＯＮＵが利用できる平均帯域である。また、ＯＬＴ１は、各ｊ（１≦ｊ≦Ｎ、かつ、ｊ≠ｉ）について、値（Ｂｊ／（Ｃｊ＋１））を計算する。値（Ｂｊ／（Ｃｊ＋１））は、波長λｊが割り当てられているベストエフォートＯＮＵを現在の状態から１つだけ増やした場合に、当該波長においてベストエフォートＯＮＵが利用できる平均帯域である。その後、ＯＬＴ１は、値（Ｂｊ／（Ｃｊ＋１））を、値（Ｂｉ／（Ｃｉ−１））以上とするｊが存在するかをＳ３０で判定する。存在しない場合、ＯＬＴ１は、波長λｉを割り当てているベストエフォートＯＮＵについて、波長割り当ての変更を行わないと決定して処理を終了する。一方、存在する場合、ＯＬＴ１は、Ｓ３１で、波長λｉが割り当てられているベストエフォートＯＮＵから１つを選択して、選択したＯＮＵの割当波長を波長λｉから波長λｊに変更する。なお、Ｓ３０の条件を満たすｊが複数存在する場合には、値（Ｂｊ／（Ｃｊ＋１））の最大値に対応するｊを選択する。その後、選択したＯＮＵに対して波長の変更を通知し、ＯＬＴ１は、Ｓ３２で数Ｃｉ及びＣｊを更新する。なお、本実施形態では、波長λｉを使用しているベストエフォートＯＮＵの１つを他の波長に移した後の値（Ｂ／Ｃ）により、波長変更を行うか否か判定するものであるが、変更前の値（Ｂ／Ｃ）により、波長変更を行うか否かを判定しても良い。
【００３０】
＜第二実施形態＞
続いて、第二実施形態について第一実施形態との相違点を中心に説明する。図７は、本実施形態においてＯＬＴ１が実行するＯＮＵの登録処理のフローチャートである。なお、図４に示す処理との相違点は、図４におけるＳ１４が、Ｓ４４の処理に置き換わったことであり、その他の処理については図４と同様であるため再度の説明は省略する。
【００３１】
本実施形態においては、空き帯域Ｂｉが、固定帯域ＯＮＵの要求帯域Ｂ以上であるｉが存在すると、ＯＬＴ１は、Ｓ４４で、その内の空き帯域Ｂｉが最大であるｉを選択し、固定帯域ＯＮＵに波長λｉを割り当てると決定する。よって、第一実施形態とは異なり、空き帯域が各波長において偏らない様に固定帯域ＯＮＵに波長の割り当てが行われる。なお、空き帯域Ｂｉが最大であるｉが複数存在する場合には、任意の１つを選択する。しかしながら、ベストエフォートＯＮＵに与える影響を少なくするため、数Ｃｉが最も小さいｉを選択しても良い。
【００３２】
図７のフローチャートによる割り当ての遷移を、図８を用いて説明する。なお、図８の前提条件は図６と同じである。図８（Ａ）は、説明に使用する初期状態であり、波長λ１及び波長λ２は、２つの固定帯域ＯＮＵに割り当てられており、数Ｃ１及び数Ｃ２は共に０であり、空き帯域Ｂ１及び空き帯域Ｂ２は共に５Ｇｂｐｓである。また、波長λ３は、１つの固定帯域ＯＮＵと、１つのベストエフォートＯＮＵに割り当てられており、数Ｃ３は１であり、空き帯域Ｂ３は７．５Ｇｂｐｓである。波長λ４も波長λ３と同様である。
【００３３】
図８（Ａ）の状態において、２つの固定帯域ＯＮＵからの登録要求信号を受信したものとする。この場合、２つの固定帯域ＯＮＵには、空き帯域の大きい波長λ３及び波長λ４がそれぞれ割り当てられる。よって図８（Ｂ）に示す状態となる。その後、図８（Ｂ）の状態において、１つの固定帯域ＯＮＵからの登録要求信号を受信したものとする。総ての波長の空き帯域は同じ５Ｇｂｐｓであるため、ＯＬＴ１は、任意の１つの波長を選択して波長の割当を行う。図８の例では、波長λ１を選択して割り当てている。よって図８（Ｃ）に示す状態となる。
【００３４】
一方、図８（Ａ）の状態において、１つのベストエフォートＯＮＵからの登録要求信号を受信したものとする。この場合、値（Ｂ１／Ｃ１）と値（Ｂ２／Ｃ２）は共に無限大であるため、ＯＬＴ１は、波長λ１又は波長λ２をこのベストエフォートＯＮＵに割り当てる。図８の例においては、波長λ２を選択して割り当てている。よって図８（Ｄ）に示す状態となる。その後、図８（Ｄ）の状態において、２つのベストエフォートＯＮＵからの登録要求信号を受信したものとする。値（Ｂ１／Ｃ１）は無限大であるため、１つのベストエフォートＯＮＵには、波長λ１が割り当てられる。波長λ１のベストエフォートＯＮＵへの割当により、値（Ｂ／Ｃ）の最大値は、波長λ３及びλ４において７．５となるため、ＯＬＴ１は、波長λ３又は波長λ４をもう１つのベストエフォートＯＮＵに割り当てる。図８の例においては、波長λ４を選択して割り当てている。よって図８（Ｅ）に示す状態となる。その後、図８（Ｅ）の状態において、１つの固定帯域ＯＮＵからの登録要求信号を受信したものとする。空き帯域Ｂの最大値は、波長λ３又は波長λ４の７．５Ｇｐｓであり、ＯＬＴ１は、波長λ３又は波長λ４をこの固定帯域ＯＮＵに割り当て可能である。図８の例においては、波長λ３を選択して割り当てている。よって図８（Ｆ）に示す状態となる。
【００３５】
図９は、本実施形態によるＯＬＴ３の概略的な構成図である。割当部１１は、登録要求信号を受信すると、登録要求信号を送信したＯＮＵがベストエフォートＯＮＵであるか、固定帯域ＯＮＵであるかを判定する。そして、割当部１１は、上述した様に、ベストエフォートＯＮＵと固定帯域ＯＮＵには、それぞれ異なる基準を適用して割り当てる波長を決定する。なお、固定帯域ＯＮＵである場合、割当部１１は、波長に加えて、送信タイミングと送信期間を更に決定する。通知部１２は、登録要求信号を送信したＯＮＵに、割り当てた波長を通知し、さらに、固定帯域ＯＮＵである場合には送信タイミングと送信期間を通知する。
【００３６】
以上、固定帯域ＯＮＵとベストエフォートＯＮＵには異なる判定基準を使用して波長の割り当てを行う。この構成により、固定帯域ＯＮＵとベストエフォートＯＮＵが混在している環境においても効率的なリソースの割り当てを実現することができる。例えば、ベストエフォートＯＮＵには、波長の空き帯域及びベストエフォートＯＮＵの収容数に基づき割当波長を決定することができる。より具体的には、波長の空き帯域とベストエフォートＯＮＵの収容数との比に基づき割当波長を決定することができる。これにより、ベストエフォートＯＮＵの平均的な利用可能帯域が、波長毎に偏ることを防ぐことができる。また、固定帯域ＯＮＵについては、空き帯域が要求帯域以上の波長のうち、その割当順序の最も高い波長を割り当てることができる。この構成により、波長の最大帯域をベストエフォートＯＮＵが利用可能となる確率が高くなる。一方、固定帯域ＯＮＵについては、空き帯域が要求帯域以上の波長のうち、その空き帯域が最大の波長を割り当てることができる。この構成により、波長の空き帯域が、波長毎に偏ることを防ぎ、ベストエフォートＯＮＵが利用可能な平均帯域の偏りを防ぐことができる。
【００３７】
また、固定帯域ＯＮＵに波長を割り当てると、当該波長の空き帯域が減少し、当該波長を使用するベストエフォートＯＮＵが利用可能な平均帯域も減少する。よって、固定帯域ＯＮＵへの波長の割り当てを行うと、ベストエフォートＯＮＵが利用可能な平均帯域の偏りを防ぐ様に波長変更処理を行うことができる。波長変更処理においては、固定帯域ＯＮＵに割り当てた波長を使用するＯＮＵを他の波長に移した場合における、各波長でのベストエフォートＯＮＵの平均利用可能帯域に基づき波長を変更するか否かと、変更する場合の変更先を決定する。
【図１】
2015186030.tif 000003
【図２】
2015186030.tif 000004
【図３】
2015186030.tif 000005
【図４】
2015186030.tif 000006
【図５】
2015186030.tif 000007
【図６】
2015186030.tif 000008
【図７】
2015186030.tif 000009
【図８】
2015186030.tif 000010
【図９】
2015186030.tif 000011